(57)【要約】【課題】シート内部でワイヤハーネスの余長吸収を省スペースで行え、配索領域の省スペース化を達成することのできる車両シートにおけるワイヤハーネス配索構造を提供すること。【解決手段】車両シートにおけるワイヤハーネス配索構造において、ワイヤハーネス１０は、回動軸１６よりも後方側の下方でワイヤハーネス固定部１８に固定され、この固定された部分から回動軸１６の前方側を迂回して上方へ向けて配索され、更にシートバック１３内に配索される。これにより、省スペースでワイヤハーネスの余長を吸収することができる。【選択図】図３
2010006179.tif 000002
【特許請求の範囲】
【請求項１】
サイドフレームと、該サイドフレームに設けられた水平方向の回動軸と、該回動軸を支点に回動可能なシートバックと、前記回動軸と平行に前記回動軸よりも後方寄りに設けられたワイヤハーネス固定部とを有する車両シートと、
複数の電線を結束して構成され前記サイドフレームから前記車両シート内に導入されて前記車両シート内部の各部に配索されるワイヤハーネスと、
を備えた、車両シートにおけるワイヤハーネス配索構造であって、
前記ワイヤハーネスは、前記回動軸よりも後方側の下方で前記ワイヤハーネス固定部に固定され、この固定された部分から、前記回動軸の後方側を通って上方に配索されず該回動軸の前方側に迂回して上方へ向けて配索され、更に前記シートバック内に配索されることを特徴とする車両シートにおけるワイヤハーネス配索構造。
【請求項２】
前記ワイヤハーネスの前記回動軸の前方側に迂回する部分が、平形形状に構成されていることを特徴とする請求項１に記載の車両シートにおけるワイヤハーネス配索構造。
【発明の詳細な説明】
【技術分野】
【０００１】
本発明は、車両シートにおけるワイヤハーネス配索構造に関し、特に、配索作業性を向上させると同時に、配索領域が省スペースとなるための改良に関する。
【背景技術】
【０００２】
車両シートには、搭乗者の姿勢に合わせてシートクッションを前後方向及び上下方向に位置調整したり、シートバックをリクライニング動作させたりする電動シート装置や、エアバッグを搭乗者とサイドドアとの間に展開させるエアバッグユニット装置が設けられているものがあり、このような装置が搭載される車両シートにおいては、電動部品への給電のために、ワイヤハーネスが配索される。
【０００３】
図１０及び図１１は車両シートにおけるワイヤハーネス配索構造の従来例を示したものである。図１０及び図１１に示すように、ワイヤハーネス配索構造１００は、シートクッション（図示せず）が装着されるサイドフレーム１０２に、シートバック１０４を水平な回動軸１０５でリクライニング自在に設けられた車両シート１０６内で、ワイヤハーネス１０８をシートの下方からシートバック１０４に配索したものである。
【０００４】
ワイヤハーネス１０８は、配索経路上において、コルゲートチューブ１０９内により被覆されて保護されている。ワイヤハーネス１０８は回動軸１０５に沿って中間部１０９ａを平行に配索され、この中間部１０９ａをクランプ１１０で回動軸１０５に固定され、中間部１０９ａの両側に連続する部分をそれぞれ他のクランプ１１２，１１４でシートクッションとシートバック１０４とに固定されている。
【０００５】
この種のワイヤハーネスの配索構造は、下記特許文献１にも開示されている。
【特許文献１】特開２００６−３０４５３８号公報
【発明の開示】
【発明が解決しようとする課題】
【０００６】
ところが、車両シートの機能の向上に伴い、電動部品の数が増加し、その給電に用いられるワイヤハーネスも、結束される電線数が増えて束が大径化する傾向がある。そして、車両シートの内部という狭い空間に収まるように、このような太い束のワイヤハーネスを配索する必要がある。また、シートバックのリクライニング時にもワイヤハーネスが適正に追従できるように、ワイヤハーネスは余長を含んで配索され、シートバックの傾斜位置によっては、余長を吸収できるようにする必要がある。
【０００７】
したがって、車両シート内にワイヤハーネスを省スペースで配索し、かつ余長を吸収することが望まれている。
【０００８】
本発明の目的は、上記課題を解消することに係り、ワイヤハーネスの余長吸収を省スペースで実施できる車両シートにおけるワイヤハーネス配索構造を提供することにある。
【課題を解決するための手段】
【０００９】
本発明の上記目的は、下記構成により達成される。
（１）  サイドフレームと、該サイドフレームに設けられた水平方向の回動軸と、該回動軸を支点に回動可能なシートバックと、前記回動軸と平行に前記回動軸よりも後方寄りに設けられたワイヤハーネス固定部とを有する車両シートと、
複数の電線を結束して構成され前記サイドフレームから前記車両シート内に導入されて前記車両シート内部の各部に配索されるワイヤハーネスと、
を備えた、車両シートにおけるワイヤハーネス配索構造であって、
前記ワイヤハーネスは、前記回動軸よりも後方側の下方で前記ワイヤハーネス固定部に固定され、この固定された部分から、前記回動軸の後方側を通って上方に配索されず該回動軸の前方側に迂回して上方へ向けて配索され、更に前記シートバック内に配索されることを特徴とする車両シートにおけるワイヤハーネス配索構造。
【００１０】
（２）  前記ワイヤハーネスの前記回動軸の前方側に迂回する部分が、平形形状に構成されていることを特徴とする前記（１）に記載の車両シートにおけるワイヤハーネス配索構造。
【００１１】
上記（１）の構成によれば、ワイヤハーネスが回動軸の後方側を通って上方に配索されず該回動軸の前方側に迂回して配索されるので、シートバックを前方に回動させたときに、ワイヤハーネスの余長が発生する。この余長部分は、ワイヤハーネス固定部における固定部を支点にてこの作用で迂回半径を拡大するように変位するので、省スペースで余長を吸収することができる。また、回動軸の周囲を利用してワイヤハーネスを配索するので、省スペースでワイヤハーネスを配索することができる。
【００１２】
上記（２）の構成によれば、回動軸の前方側に迂回する部分のワイヤハーネスが、平形形状に構成されているので、ワイヤハーネスを曲げ易い。したがって、ワイヤハーネスの迂回半径を小さくすることができ、省スペースでワイヤハーネスを配索できるとともに、余長吸収も省スペースで行うことができる。
【発明の効果】
【００１３】
本発明による車両シートにおけるワイヤハーネス配索構造によれば、車両シート内部という狭い空間内であっても、省スペースでワイヤハーネスの余長を吸収することができ、また、省スペースでワイヤハーネスを配索することができる。
【発明を実施するための最良の形態】
【００１４】
以下、本発明に係る車両シートにおけるワイヤハーネス配索構造の好適な実施形態について、図面を参照して詳細に説明する。
【００１５】
図１は実施形態に係る車両シートの側面図、図２〜図４はリクライニング状態の異なる車両シート内におけるワイヤハーネスの配索図、図５はワイヤハーネスの斜視図、図６はプロテクタの一部切欠斜視図、図７はインナートリムの斜視図、図８及び図９はワイヤハーネスがサイドフレームの外に出た部分の斜視図である。
【００１６】
この第１実施形態の車両シートにおけるワイヤハーネス配索構造は、図１に示すように、ワイヤハーネス１０が、車両シート下部のサイドフレーム１２からシート内部に導入されて、シートバック１３を含むシート内部の各部に配索されるものである。
【００１７】
ワイヤハーネス１０は、シート外部に引き出された供給側端部にコネクタ１４が接続されている。このコネクタ１４は、車室側の他のハーネスにコネクタ接続される。ワイヤハーネス１０のシート内部側は、複数の枝ハーネスなどに分岐されていて、シート内の各電動部（電気機器）に接続される。
【００１８】
図２〜図４に示すように、サイドフレーム１２には、シートバック１３を回動自在に支持する回動軸１６が設けられ、シートバック１３は、回動軸１６を支点に回動（リクライニング）できるように構成されている。サイドフレーム１２には、ワイヤハーネス１０を固定するための固定部１８が、回動軸１６よりも後方側に設けられている。そして、ワイヤハーネス１０はサイドフレーム１２から導入された部分が、固定部１８にクリップ２０により固定されている。固定部１８に固定されたワイヤハーネス１０は回動軸１６の前方側を迂回して回動軸１６の略３分の２をラップして配索され、更に上方に向けてシートバック１３内に配索されている。
【００１９】
ワイヤハーネス１０は複数の電線を束ねて構成され、軸方向の適当な箇所をテープやタイバンド等の結束具（図示せず）により固定されている。ワイヤハーネスはもともと全長にわたって断面略円形状であるが、図２に示すように、軸方向の所定の部分に、束ねた電線を平面状に分散してワイヤハーネス１０を薄肉平形化した平形部１０ａが形成されている。平形部１０ａの長さは、平形部１０ａを配索するのが好ましい車両シート内外の部位に応じて設定される。そして、平形部１０ａはテープやタイバンド等の結束具（図示せず）により平形形状を維持されている。なお、本実施形態では、ワイヤハーネス１０は合成樹脂製の網目状の保護材２１により被覆されており、保護材２１とともに平形部１０ａを形成されている。
【００２０】
本実施形態では、ワイヤハーネス１０の平形部１０ａが回動軸１６の周りに湾曲して位置するようにワイヤハーネス１０が配索されている。また、固定部１８に固定された平形部１０ａに対して、回動軸１６の周囲の平形部１０は９０度ねじられて配索されている。すなわち、平形部１０ａは、それぞれ固定部１８及び回動軸１６に対向する位置関係にある。このように、平形部１０ａを利用してワイヤハーネス１０の配索方向を変更することで、車両シートの内部というような極めて狭い空間内であっても、ワイヤハーネス１０を容易に曲げて配索することが可能となる。
【００２１】
また、ワイヤハーネス１０を回動軸１６の回りに曲げて配索した場合、平形部１０ａは曲がり易いので曲げ半径が大きくならず、配索領域が省スペースとなる。また、ワイヤハーネス１０を構成する電線数が多くなっても平形部１０ａの幅が増えるだけであり、平形部１０ａの曲げ易さは変わらない。
【００２２】
回動軸１６の周囲では、ワイヤハーネス１０は図６に示す湾曲して画成されたワイヤハーネス収容部を有するプロテクタ２２により被覆されており、周辺部材との接触を防止されている。なお、図６では、プロテクタ２２の図中手前側の側壁は、図示を省略されているが、ワイヤハーネス収容部は４つの壁面により画成されている。
【００２３】
また、固定部１８に固定されたワイヤハーネス１０は、固定部１８に沿って水平に配索され、図８に示すように、サイドフレーム１２の外側に一方の端部が出ている。ここで、サイドフレーム１２の内側には、図７に示す構成のインナートリム２４が装着されており、サイドフレーム１２の回動機構近傍が外から見えないようになっている。図７（Ａ）はインナートリム２４をシート内部側から見た斜視図であり、図７（Ｂ）はインナートリム２４をシート外部側から見た斜視図である。
【００２４】
ワイヤハーネス１０は、固定部１８及びインナートリム２４の部分でも平形部１０ａが配索されており、インナートリム２４には、ワイヤハーネス１０の平形部１０ａを保持するための一対の壁部からなる保持部２４ａが形成されている。図８に示すように、ワイヤハーネス１０の平形部１０ａはサイドフレーム１２の後部から前方に向けて配索されている。
【００２５】
ワイヤハーネス１０は、シートバック１３が後方側に回動されるほど延びるようになり、フルフラットになったときに最も長く延びている。そして、シートバック１３が前方側に回動されるほどワイヤハーネス１０の配索経路上に余長が発生するようになる。
【００２６】
すなわち、図４に示すシートバック１３の後傾状態から図３及び図２に示す状態になるほど、ワイヤハーネス１０の余長部が増えて行くようになる。そして、ワイヤハーネス１０は、シートバック１３内の所定位置に固定されているので、主にプロテクタ２２の下部出口近傍の部分１０ｂが回動軸１６よりも下側で湾曲状態を拡径するように変形して余長を吸収するようになっている。
【００２７】
ワイヤハーネス１０は、固定部１８に固定された部分を支点に変形し、回動軸１６の周囲の部分がてこの作用で回動軸１６から離れる方向に移動することで余長を吸収するようになっており、余長部は主に下方に向けて移動する。したがって、ワイヤハーネス１０の湾曲した部分が拡径方向に変形して下方に移動することで、余長を吸収するので、回動軸１６の周囲のわずかなスペースでの余長吸収が可能となる。
【００２８】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００２９】
例えば、上記実施形態は、回動軸１６の周囲のワイヤハーネス１０は平形部１０ａに形成されているが、ワイヤハーネス１０は平形部１０ａを形成されていなくてもよく、全長にわたって断面略円形であってもよい。この場合、図８に示したインナートリム２４におけるワイヤハーネス保持部２４ａも、図９に示すように略円形部分を保持する構成の保持部２４ａとされる。
【図面の簡単な説明】
【００３０】
【図１】本発明の実施形態に係る車両シートの側面図である。
【図２】リクライニング状態の車両シート内におけるワイヤハーネスの配索図であり、運転姿勢時の状態を表す。
【図３】リクライニング状態の車両シート内におけるワイヤハーネスの配索図であり、シートバックを運転姿勢時から後方へ回動した状態を表す。
【図４】リクライニング状態の車両シート内におけるワイヤハーネスの配索図であり、シートバックをフルフラットに近くした状態を表す。
【図５】ワイヤハーネスの斜視図である。
【図６】プロテクタの一部切欠斜視図である。
【図７】インナートリムの斜視図である。
【図８】ワイヤハーネスの平形部がサイドフレームの外に出た部分の斜視図である。
【図９】ワイヤハーネスの断面略円形部がサイドフレームの外に出た部分の斜視図である。
【図１０】従来の車両シートにおけるワイヤハーネスの斜視図である。
【図１１】図１０の要部拡大図である。
【符号の説明】
【００３１】
１０  ワイヤハーネス
１０ａ  平形部
１０ｂ  余長吸収部
１２  サイドフレーム
１３  シートバック
１４  コネクタ
１６  回動軸
１８  ワイヤハーネス固定部
２０  クリップ
２１  保護材
２２  プロテクタ
２４  インナートリム
【図１】
2010006179.tif 000003
【図２】
2010006179.tif 000004
【図３】
2010006179.tif 000005
【図４】
2010006179.tif 000006
【図５】
2010006179.tif 000007
【図６】
2010006179.tif 000008
【図７】
2010006179.tif 000009
【図８】
2010006179.tif 000010
【図９】
2010006179.tif 000011
【図１０】
2010006179.tif 000012
【図１１】
2010006179.tif 000013